(57)【要約】【課題】  軸体を支承せずにコマ本体を回転させる遊び方をする場合でも難しい技術が必要なく、誰でも容易に遊ぶことができるようにしたコマを提供する。【解決手段】  接地される先端５ａを有し基端３ａ側が手で把持可能な把持部２として構成される軸体１と、軸体１の把持部２を露出させ且つ軸体１の先端５ａ側からの抜けが阻止された状態で軸体１に回転可能に軸支されるとともに紐Ｌを巻付け巻戻しすることにより回転させられるコマ本体１０とを備え、コマ本体１０を、軸体１に回転可能に挿通される挿通孔１２を有した上下対称の円盤状の主体部１３と、軸体１に回転可能に挿通される挿通孔１２を有し主体部１３より小径に形成されて主体部１３の一方面１３ａ側に突設されるとともに外周に紐Ｌが巻き付けられる円筒状の紐巻部１４とを備えて構成し、コマ本体１０の外周に軸体１の中心軸１１を中心とする円周に沿った円周溝１６を形成した。【選択図】図１
0003167527.tif 000002
【実用新案登録請求の範囲】
【請求項１】
接地される先端を有し基端側が手で把持可能な把持部として構成される軸体と、該軸体の把持部を露出させ且つ該軸体の先端側からの抜けが阻止された状態で該軸体に回転可能に軸支されるとともに紐を巻付け巻戻しすることにより回転させられるコマ本体とを備えたコマにおいて、
上記コマ本体の外周に上記軸体の中心軸を中心とする円周に沿った円周溝を形成したことを特徴とするコマ。
【請求項２】
上記コマ本体を、上記軸体と同軸の中心軸を軸心とし該軸体に回転可能に挿通される挿通孔を有した上下対称の円盤状の主体部と、上記軸体と同軸の中心軸を軸心とし該軸体に回転可能に挿通される挿通孔を有し上記主体部より小径に形成されて該主体部の一方面側に突設されるとともに外周に紐が巻き付けられる円筒状の紐巻部とを備えて構成したことを特徴とする請求項１記載のコマ。
【請求項３】
上記主体部の外周側の厚さより内周側の厚さを薄くしたことを特徴とする請求項２記載のコマ。
【請求項４】
上記軸体を、基端側を把持部とした円柱状のロッドと、該ロッドの先端に連設され該ロッド側に該ロッドより大径で上記コマ本体の挿通孔の開口縁部を支承する支承面を形成するとともに接地される先端を有した略円錐状の先端部材とを備えて構成したことを特徴とする請求項２または３記載のコマ。
【請求項５】
上記コマ本体を、上記軸体と同軸の中心軸を軸心とし該軸体に回転可能に挿通される挿通孔を有し上記主体部より小径に形成されて該主体部の他方面側に突設されるとともに下端面が上記支承面に支承される突設部を設けて構成したことを特徴とする請求項４記載のコマ。
【請求項６】
上記コマ本体を、円盤状の円盤部材と、該円盤部材より小径で上記挿通孔を構成する孔を有した円筒状の円筒部材とを用い、上記円盤部材にその中心軸を軸心とし上記円筒部材が嵌入される貫通孔を形成し、上記円筒部材を上記貫通孔に嵌入して形成したことを特徴とする請求項２乃至５何れかに記載のコマ。
【請求項７】
上記軸体のロッドの把持部を、上記挿通孔に挿通されるロッドの一般径より大径に形成したことを特徴とする請求項６記載のコマ。
【請求項８】
上記軸体のロッドの把持部を、上記ロッドに嵌挿される円筒状部材で構成したことを特徴とする請求項７記載のコマ。
【請求項９】
上記主体部の少なくとも一方面側に、同心円状の複数の帯状模様を付したことを特徴とする請求項２乃至８何れかに記載のコマ。
【考案の詳細な説明】
【技術分野】
【０００１】
本考案は、軸体及び軸体に回転可能に軸支され紐を巻付け巻戻しすることにより回転させられるコマ本体を備え、コマ本体に巻き付けられた紐を巻戻して引きほぐすことにより回転させるコマに関する。
【背景技術】
【０００２】
従来、この種のコマとしては、例えば、特許文献１（実開昭５０−１０７２９８号公報）に記載されたものが知られている。
これは、図９に示すように、接地される先端１０１を有し基端１０２側が手で把持可能な把持部１０３として構成される軸体１００と、軸体１００の把持部１０３を露出させ且つ軸体１００の先端１０１側からの抜けが阻止された状態で軸体１００に回転可能に軸支されるとともに紐を巻付け巻戻しすることにより回転させられるコマ本体１１０とを備えて構成されている。
【０００３】
コマ本体１１０は、軸体１００と同軸の中心軸１１１を軸心とし軸体１００に回転可能に挿通される挿通孔１１２を有した主体部１１３と、軸体１００と同軸の中心軸１１１を軸心とし軸体１００に回転可能に挿通される挿通孔１１２を有し主体部１１３より小径に形成されて主体部１１３の一方面１１３ａ側に突設されるとともに外周に紐が巻き付けられる円筒状の紐巻部１１４とを備えて構成されている。
【０００４】
このコマＳａを回転させるときは、紐巻部１１４に紐を巻付け、軸体１００の把持部１０３を把持した状態で紐を巻戻して引きほぐすことにより紐巻部１１４及び主体部１１３に回転力を付与する。これによって中心軸１１１を中心にコマ本体１１０を回転させることができる。そして、コマ本体１１０が回転した状態で、例えば、軸体１００の把持部１０３を手で把持したままコマ本体１１０を回転させる、あるいは、軸体１００の先端１０１を接地面に接地させ把持部１０３から手を離して接地面上でコマ本体１１０を回転させる等して遊ぶことができる。
【先行技術文献】
【特許文献】
【０００５】
【特許文献１】実開昭５０−１０７２９８号公報
【考案の概要】
【考案が解決しようとする課題】
【０００６】
しかしながら、この従来のコマＳａにおいては、軸体１００の把持部１０３を把持するか軸体１００の先端１０１を接地面に接地させるかしてコマ本体１１０を回転させることは容易にできるが、例えば、コマ本体１１０の外周を緊張させたロープに接するようにしてロープ上でコマＳａを移動させるような遊び方をする場合等、軸体１００を支承せずにコマ本体１１０を回転させる遊び方をする場合には、熟練の技術を要することが多いため、誰でも容易に遊べる遊び方が限定されてしまうという問題があった。
【０００７】
本考案は、このような問題点に鑑みてなされたもので、軸体を支承せずにコマ本体を回転させる遊び方をする場合でも難しい技術が必要なく、誰でも容易に遊ぶことができるようにしたコマを提供することを目的とする。
【課題を解決するための手段】
【０００８】
このような目的を達成するため、本考案のコマは、接地される先端を有し基端側が手で把持可能な把持部として構成される軸体と、該軸体の把持部を露出させ且つ該軸体の先端側からの抜けが阻止された状態で該軸体に回転可能に軸支されるとともに紐を巻付け巻戻しすることにより回転させられるコマ本体とを備えたコマにおいて、上記コマ本体の外周に上記軸体の中心軸を中心とする円周に沿った円周溝を形成した構成としている。
【０００９】
これにより、このコマを回転させるときは、コマ本体に紐を巻付け、軸体の把持部を把持した状態で紐を巻戻して引きほぐすことによりコマ本体に回転力を付与する。これによって軸体を中心にコマ本体を回転させることができる。そして、コマ本体が回転した状態で、例えば、軸体の把持部を手で把持したままコマ本体を回転させる、あるいは、軸体の先端を接地面に接地させ把持部から手を離して接地面上でコマ本体を回転させる等して、軸体を支承した状態でコマ本体を回転させて遊ぶことができる。
【００１０】
また、本コマには、コマ本体の外周に円周溝が形成されているので、軸体を支承せずにコマ本体を回転させて遊ぶことができる。例えば、コマ本体が回転した状態で、コマ本体の円周溝に緊張させたロープが入り込むようにロープにコマ本体を載せ、ロープ上でコマ本体を回転させることができる。この状態では、軸体の軸線が接地面に略平行な方向となってコマがロープ上を回転しながら移動していくようになる。また、例えば、コマ本体が回転した状態で、片方の手でロープの一端を持ち、もう片方の手でロープの他端を持って、コマ本体の円周溝に弛緩させたロープが入り込むようにロープにコマ本体を載せ、ロープ上でコマ本体を回転させることもできる。この状態では、軸体の軸線が接地面に略平行な方向となってコマがロープ上を回転しながら移動していくようになり、ロープの一端と他端との高さを変えることによってコマの移動方向を自由に変えることができる。
【００１１】
即ち、軸体を支承せずにコマ本体を回転させて遊ぶ場合、コマ本体の外周に形成された円周溝にロープが入り込むので、コマ本体がロープから脱落することがなく、そのため、軸体を支承せずにコマ本体を回転させる遊び方をする場合でも難しい技術が必要なく、誰でも容易に遊ぶことができる。
【００１２】
そして、必要に応じ、上記コマ本体を、上記軸体と同軸の中心軸を軸心とし該軸体に回転可能に挿通される挿通孔を有した上下対称の円盤状の主体部と、上記軸体と同軸の中心軸を軸心とし該軸体に回転可能に挿通される挿通孔を有し上記主体部より小径に形成されて該主体部の一方面側に突設されるとともに外周に紐が巻き付けられる円筒状の紐巻部とを備えて構成している。
【００１３】
これにより、このコマを回転させるときは、紐巻部に紐を巻付け、軸体の把持部を把持した状態で紐を巻戻して引きほぐすことにより紐巻部及び主体部に回転力を付与する。これによって中心軸を中心にコマ本体を回転させることができる。この場合、主体部に紐を巻付け軸体の先端が接地面に接地するようにコマを投げるとともに紐を巻戻してコマ本体を回転させる場合に比較して、軸体を把持したまま紐を巻戻すことができるので、コマ本体を容易に回転させることができ、そのため、誰でも容易にコマ本体を回転させて遊ぶことができる。また、主体部が上下対称の円盤状なので、円周溝にロープが入り込むようにしてロープ上でコマを移動させる場合、主体部がロープを中心に対称になるので安定性を向上させることができる。
【００１４】
また、必要に応じ、上記主体部の外周側の厚さより内周側の厚さを薄くした構成としている。
これにより、主体部の内周側よりも外周側の方が重量が重くなるので、コマ本体が回転したときの慣性モーメントが大きくなり、そのため、コマ本体の回転の安定性を向上させることができるとともに回転の持続力も向上させることができる。
【００１５】
更に、必要に応じ、上記軸体を、基端側を把持部とした円柱状のロッドと、該ロッドの先端に連設され該ロッド側に該ロッドより大径で上記コマ本体の挿通孔の開口縁部を支承する支承面を形成するとともに接地される先端を有した略円錐状の先端部材とを備えて構成している。
【００１６】
これにより、コマ本体がロッドの先端側から抜けることが確実に防止され、コマ本体が軸体の把持部と先端部材との間に確実に位置するようになる。また、コマ本体はロッドの基端側からは抜けるようになるため、軸体をコマ本体から着脱可能にすることができ、そのため、軸体を他のコマ本体に取り付けることが可能となる。即ち、コマ本体の模様等、外観の異なるコマ本体が複数あった場合でも、軸体は一つあれば良く、そのため、コストを低減させることができる。
【００１７】
更にまた、必要に応じ、上記コマ本体を、上記軸体と同軸の中心軸を軸心とし該軸体に回転可能に挿通される挿通孔を有し上記主体部より小径に形成されて該主体部の他方面側に突設されるとともに下端面が上記支承面に支承される突設部を設けて構成している。
これにより、コマ本体を回転させたとき、突設部の下端面が先端部材の支承面に摺接するので、主体部は軸体の先端部材に摺接しないようになり、そのため、主体部と先端部材との摩擦による回転力の低下を防止することができるので、コマ本体の回転力の低下を最小限にすることができ、それだけ、コマ本体の回転の安定性を向上させることができる。
【００１８】
そして、また、必要に応じ、上記コマ本体を、円盤状の円盤部材と、該円盤部材より小径で上記挿通孔を構成する孔を有した円筒状の円筒部材とを用い、上記円盤部材にその中心軸を軸心とし上記円筒部材が嵌入される貫通孔を形成し、上記円筒部材を上記貫通孔に嵌入して形成した構成としている。
これにより、主体部，紐巻部及び突設部を一体形成してコマ本体を製造する場合に比較して、容易に製造することができる。また、円盤部材として既存の車輪等を使用することができる。
【００１９】
また、必要に応じ、上記軸体のロッドの把持部を、上記挿通孔に挿通されるロッドの一般径より大径に形成した構成としている。
これにより、把持部の太さを太くすることができるので、手で把持しやすくなる。
【００２０】
更に、必要に応じ、上記軸体のロッドの把持部を、上記ロッドに嵌挿される円筒状部材で構成している。
これにより、円筒状部材をロッドに嵌挿するだけで把持部を大径に形成できるので、軸体を容易に組立てることができる。また、円筒状部材をロッドから取り外すことができるようにすれば、軸体とコマ本体とを着脱可能にすることができる。
【００２１】
更にまた、必要に応じ、上記主体部の少なくとも一方面側に、同心円状の複数の帯状模様を付した構成としている。
これにより、コマ本体を回転させたとき、コマ本体が綺麗に見えるようになるので、外観品質を向上させることができる。
【考案の効果】
【００２２】
本考案のコマによれば、コマ本体に紐を巻付け、軸体の把持部を把持した状態で紐を巻戻して引きほぐすことによりコマ本体に回転力を付与して軸体を中心にコマ本体を回転させ、この状態で、例えば、コマ本体の円周溝に緊張させたロープが入り込むようにロープにコマ本体を載せ、ロープ上でコマ本体を回転させることができる。この状態では、軸体の軸線が接地面に略平行な方向となってコマがロープ上を回転しながら移動していくようになる。また、例えば、コマ本体が回転した状態で、片方の手でロープの一端を持ち、もう片方の手でロープの他端を持って、コマ本体の円周溝にロープが入り込むようにロープにコマ本体を載せ、ロープ上でコマ本体を回転させることもできる。この状態では、軸体の軸線が接地面に略平行な方向となってコマがロープ上を回転しながら移動していくようになり、ロープの一端と他端との高さを変えることによってコマの移動方向を自由に変えることができる。
【００２３】
即ち、軸体を支承せずにコマ本体を回転させて遊ぶ場合、コマ本体の外周に形成された円周溝にロープが入り込むので、コマ本体がロープから脱落することがなく、そのため、軸体を支承せずにコマ本体を回転させる遊び方をする場合でも難しい技術が必要なく、誰でも容易に遊ぶことができる。
【図面の簡単な説明】
【００２４】
【図１】本考案の実施の形態に係るコマを示す斜視図である。
【図２】本考案の実施の形態に係るコマを示す正面図である。
【図３】図２中、Ａ−Ａ線視断面図である。
【図４】本考案の実施の形態に係るコマを回転させるときの状態を示す斜視図である。
【図５】本考案の実施の形態に係るコマを、緊張したロープ上で移動させる際の使用状態を示す図である。
【図６】本考案の実施の形態に係るコマを、弛緩したロープ上で移動させる際の使用状態を示す図である。
【図７】本考案の別の実施の形態に係るコマを示す分解斜視図である。
【図８】本考案の別の実施の形態に係るコマを示す縦断面図である。
【図９】従来のコマの一例を示し、（Ａ）は正面図、（Ｂ）は平面図である。
【考案を実施するための形態】
【００２５】
以下、添付図面に基づいて本考案の実施の形態に係るコマを説明する。
図１乃至図６には、本考案の実施の形態に係るコマＳを示している。本コマＳは、接地される先端５ａを有し基端３ａ側が手で把持可能な把持部２として構成される軸体１と、軸体１の把持部２を露出させ且つ軸体１の先端側からの抜けが阻止された状態で軸体１に回転可能に軸支されるとともに紐Ｌを巻付け巻戻しすることにより回転させられるコマ本体１０とを備えて構成されている。
【００２６】
軸体１は、基端３ａ側を把持部２とした円柱状のロッド３と、ロッド３の先端３ｂに連設されロッド３側にロッド３より大径で後述するコマ本体１０の挿通孔１２の開口縁部１２ａを支承する支承面４を形成するとともに接地される先端５ａを有した略円錐状の先端部材５とを備えて構成されている。このロッド３は、後述する挿通孔１２に挿通される一般径を有しており、把持部２は、ロッド３に嵌挿される円筒状部材２ａで構成されて一般径より大径に形成されている。この円筒状部材２ａは、コマ本体１０を軸体１に挿通後に軸体１に取り付けられる。また、円筒状部材２ａをロッド３に嵌挿するだけで把持部２を大径に形成できるので、軸体１を容易に組立てることができる。
【００２７】
コマ本体１０は、軸体１と同軸の中心軸１１を軸心とし軸体１に回転可能に挿通される挿通孔１２を有した上下対称の円盤状の主体部１３と、軸体１と同軸の中心軸１１を軸心とし軸体１に回転可能に挿通される挿通孔１２を有し主体部１３より小径に形成されて主体部１３の一方面１３ａ側に突設されるとともに外周に紐Ｌが巻き付けられる円筒状の紐巻部１４と、軸体１と同軸の中心軸１１を軸心とし軸体１に回転可能に挿通される挿通孔１２を有し主体部１３より小径に形成されて主体部１３の他方面１３ｂ側に突設されるとともに下端面１５ａが軸体１の支承面４に支承される突設部１５とを備えて構成されている。この主体部１３，紐巻部１４及び突設部１５は、例えば、金属製であり、互いに溶接等で接合されている。
【００２８】
主体部１３は、外周側の厚さより内周側の厚さが薄く形成されており、その外周には、軸体１の中心軸１１を中心とする円周に沿った円周溝１６が形成されている。また、この主体部１３は、その一方面１３ａ側に同心円状の複数の帯状模様（図示せず）が付されている。この主体部１３の一方面１３ａ及び他方面１３ｂに、紐巻部１４及び突設部１５が夫々一体形成されている。
【００２９】
このコマＳを回転させるときは、図４に示すように、紐巻部１４に紐Ｌを巻付け、軸体１の把持部２を把持した状態で紐Ｌを巻戻して引きほぐすことにより紐巻部１４及び主体部１３に回転力を付与する。これによって中心軸１１を中心にコマ本体１０を回転させることができる。この場合、主体部１３に紐Ｌを巻付け軸体１の先端５ａが接地面に接地するようにコマＳを投げるとともに紐Ｌを巻戻してコマ本体１０を回転させる場合に比較して、軸体１を把持したまま紐Ｌを巻戻すことができるので、コマ本体１０を容易に回転させることができ、そのため、誰でも容易にコマ本体１０を回転させて遊ぶことができる。また、把持部２はロッド３の一般径よりも太く形成されているので、手で把持しやすく、そのため、この点でも、コマ本体１０を回転させやすくなる。
【００３０】
本コマＳは、主体部１３の内周側よりも外周側の方を厚く形成しているので、内周側の重量よりも外周側の重量の方が重くなり、そのため、コマ本体１０が回転したときの慣性モーメントが大きくなるので、コマ本体１０の回転の安定性を向上させることができるとともに回転の持続力も向上させることができる。また、コマ本体１０を回転させたとき、突設部１５の下端面１５ａが先端部材５の支承面４に摺接するので、主体部１３は軸体１の先端部材５に摺接しないようになり、そのため、主体部１３と先端部材５との摩擦による回転力の低下を防止することができるので、コマ本体１０の回転力の低下を最小限にすることができ、それだけ、コマ本体１０の回転の安定性を向上させることができる。
【００３１】
そして、コマ本体１０が回転した状態で、例えば、軸体１の把持部２を手で把持したままコマ本体１０を回転させる、あるいは、軸体１の先端５ａを接地面に接地させ把持部２から手を離して接地面上でコマ本体１０を回転させる等して、軸体１を支承した状態でコマ本体１０を回転させて遊ぶことができる。この場合、主体部１３の一方面１３ａ側に帯状模様（図示せず）が付されているので、コマ本体１０を回転させたときにコマ本体１０が綺麗に見えるようになり、それだけ、外観品質を向上させることができる。
【００３２】
また、本コマＳには、コマ本体１０の外周に円周溝１６が形成されているので、軸体１を支承せずにコマ本体１０を回転させて遊ぶことができる。例えば、図５に示すように、コマ本体１０が回転した状態で、コマ本体１０の円周溝１６に緊張させたロープＲが入り込むようにロープＲにコマ本体１０を載せ、ロープＲ上でコマ本体１０を回転させることができる。この状態では、軸体１の軸線が接地面に略平行な方向となってコマＳがロープＲ上を回転しながら移動していくようになる。
【００３３】
また、例えば、図６に示すように、コマ本体１０が回転した状態で、片方の手でロープＲの一端を持ち、もう片方の手でロープＲの他端を持って、コマ本体１０の円周溝１６に弛緩させたロープＲが入り込むようにロープＲにコマ本体１０を載せ、ロープＲ上でコマ本体１０を回転させることもできる。この状態では、軸体１の軸線が接地面に略平行な方向となってコマＳがロープＲ上を回転しながら移動していくようになり、ロープＲの一端と他端との高さを変えることによってコマＳの移動方向を自由に変えることができる。
【００３４】
即ち、軸体１を支承せずにコマ本体１０を回転させて遊ぶ場合、コマ本体１０の外周に形成された円周溝１６にロープＲが入り込むので、コマ本体１０がロープＲから脱落することがなく、そのため、軸体１を支承せずにコマ本体１０を回転させる遊び方をする場合でも難しい技術が必要なく、誰でも容易に遊ぶことができる。
【００３５】
また、主体部１３が上下対称の円盤状なので、円周溝１６にロープＲが入り込むようにしてロープＲ上でコマＳを移動させる場合、主体部１３がロープＲを中心に対称になるので安定性を向上させることができる。
【００３６】
更に、ロッド３の先端３ｂにはコマ本体１０の挿通孔１２の開口縁部１２ａを支承する支承面４を有した先端部材５が設けられているので、コマ本体１０がロッド３の先端３ｂ側から抜けることが確実に防止され、コマ本体１０が軸体１の把持部２と先端部材５との間に確実に位置するようになる。また、把持部２を形成する円筒状部材２ａをロッド３から取り外すことができるようにすれば、コマ本体１０をロッド３の基端３ａ側から抜くことが可能になり、そのため、軸体１をコマ本体１０から着脱可能にすることができるので、軸体１を他のコマ本体１０に取り付けることが可能となる。即ち、コマ本体１０の模様等、外観の異なるコマ本体１０が複数あった場合でも、軸体１は一つあれば良く、そのため、コストを低減させることができる。
【００３７】
図７及び図８には、本発明の別の実施の形態に係るコマＳを示している。このコマＳは、コマ本体１０が、円盤状の円盤部材１７と、円盤部材１７より小径で挿通孔１２を構成する孔を有した円筒状の円筒部材１８とを用いて構成されている。軸体１は、上記実施の形態と同様の構成である。
【００３８】
円盤部材１７は、上下対称の円盤状に形成されており、外周側の厚さより内周側の厚さが薄く形成されている。また、円盤部材１７の中心部には、その中心軸１１を軸心とし円筒部材１８が嵌入される貫通孔１９が形成されている。更に、この円盤部材１７の外周には、中心軸１１を中心とする円周に沿った円周溝１６が形成されている。
円筒部材１８は、円盤部材１７の貫通孔１９に嵌入されており、一端部１８ａ及び他端部１８ｂが円盤部材１７の一方面１７ａ及び他方面１７ｂから夫々突出するように嵌入されている。
【００３９】
この場合、主体部１３，紐巻部１４及び突設部１５を一体形成してコマ本体１０を製造する場合に比較して、容易に製造することができる。また、円盤部材１７として既存の車輪等を使用することができる。
その他の作用，効果は上記実施の形態と同様である。
【００４０】
尚、上記実施の形態において、ロッド３の把持部２を円筒状部材２ａで構成し、ロッド３に円筒状部材２ａを嵌挿して形成したが、必ずしもこれに限定されるものではなく、円筒状部材２ａをロッド３から取り外すことができるようにしても良く、適宜変更して差し支えない。この場合、軸体１とコマ本体１０とを着脱可能にすることができる。
【００４１】
尚また、上記実施の形態において、主体部１３の一方面１３ａ側に帯状模様（図示せず）を付したが、必ずしもこれに限定されるものではなく、他方面１３ｂ側や外周にも付して良く、適宜変更して差支えない。また、模様としては、帯状模様に限定されず、どのような模様でも良いが、コマ本体１０の回転時に肉眼で認識でき得る模様であることが望ましい。
【符号の説明】
【００４２】
Ｓ  コマ
Ｌ  紐
Ｒ  ロープ
１  軸体
２  把持部
２ａ  円筒状部材
３  ロッド
４  支承面
５  先端部材
１０  コマ本体
１１  中心軸
１２  挿通孔
１２ａ  開口縁部
１３  主体部
１４  紐巻部
１５  突設部
１６  円周溝
１７  円盤部材
１８  円筒部材
１９  貫通孔
【図１】
0003167527.tif 000003
【図２】
0003167527.tif 000004
【図３】
0003167527.tif 000005
【図４】
0003167527.tif 000006
【図５】
0003167527.tif 000007
【図６】
0003167527.tif 000008
【図７】
0003167527.tif 000009
【図８】
0003167527.tif 000010
【図９】
0003167527.tif 000011